(57)【要約】【課題】視聴覚特性に基づいて、撮影準備時間を短く知覚させることが可能な撮像装置、撮像方法を提供すること。【解決手段】シャッターボタン押下からストロボ発光までに要する撮影準備時間を取得するステップ（Ｓ１０８、Ｓ１１０）と、ダミー音発生からストロボ発光までの時間は、視聴覚特性に基づいて、ダミー音発生とストロボ発光とが同時であると感知される検知限以内であるとして、シャッターボタン押下時を０に設定したダミー音を発生させる時刻を取得するステップ（Ｓ１１８）と、シャッターボタン押下からストロボ発光までに、ダミー音を発生するステップ（Ｓ１２０）と、撮影時にストロボ発光するステップと、を含むことを特徴とする。【選択図】図３
2008166954.tif 000002
【特許請求の範囲】
【請求項１】
撮影時にストロボ発光するストロボ発光部と、
シャッターボタン押下から前記ストロボ発光までに、ダミー音を発生するダミー音発生部と、
前記シャッターボタン押下から前記ストロボ発光までに要する撮影準備時間を予め取得する撮影準備時間取得部と、
前記ダミー音発生から前記ストロボ発光までの時間は、視聴覚特性に基づいて、前記ダミー音発生と前記ストロボ発光とが同時であると感知される検知限以内であるとして、前記シャッターボタン押下時を０に設定した前記ダミー音を発生させる時刻を取得するダミー音発生時刻取得部と、
を備えることを特徴とする、撮像装置。
【請求項２】
前記検知限は、視聴覚特性に基づいて２５０ミリ秒と設定されたことを特徴とする、請求項１に記載の撮像装置。
【請求項３】
前記撮影準備時間取得部は、
前記撮影時のフォーカスレンズ位置合わせ条件、又は露光条件に基づいたシャッター遅延時間を取得するシャッター遅延時間取得部と、
前記ストロボ発光部のチャージ状況に基づいたストロボ遅延時間を取得するストロボ遅延時間取得部と、
前記シャッター遅延時間と前記ストロボ遅延時間とを比較し、いずれか長いほうの値を撮影準備時間として判定する撮影準備時間判定部と、
を備えることを特徴とする、請求項１又は２に記載の撮像装置。
【請求項４】
前記ダミー音発生時刻取得部は、
前記検知限と前記撮影準備時間とを比較し、
前記検知限と前記撮影準備時間とに基づいて、前記ダミー音発生時刻を取得することを特徴とする、請求項３に記載の撮像装置。
【請求項５】
シャッターボタン押下からストロボ発光までに要する撮影準備時間を取得するステップと、
ダミー音発生から前記ストロボ発光までの時間は、視聴覚特性に基づいて、前記ダミー音発生と前記ストロボ発光とが同時であると感知される検知限以内であるとして、前記シャッターボタン押下時を０に設定した前記ダミー音を発生させる時刻を取得するステップと、
前記シャッターボタン押下から前記ストロボ発光までに、前記ダミー音を発生するステップと、
撮影時に前記ストロボ発光するステップと、
を含むことを特徴とする、撮像方法。
【請求項６】
前記撮影準備時間を取得するステップは、
前記撮影時のフォーカス位置合わせ条件、又は露光条件に基づいたシャッター遅延時間を取得するステップと、
ストロボ発光部のチャージ状況に基づいたストロボ遅延時間を取得するストロボ遅延時間を取得するステップと、
前記シャッター遅延時間と前記ストロボ遅延時間とを比較し、いずれか長いほうの値を撮影準備時間として判定するステップと、
を含むことを特徴とする、請求項５に記載の撮像方法。
【請求項７】
前記ダミー音を発生させる時刻を取得するステップは、
前記検知限と前記撮影準備時間とを比較し、
前記検知限と前記撮影準備時間とに基づいて、前記ダミー音発生時刻を取得することを特徴とする、請求項６に記載の撮像方法。
【発明の詳細な説明】
【技術分野】
【０００１】
本発明は、撮像装置、撮像方法に関する。
【背景技術】
【０００２】
撮像装置を使用して静止画を撮影する際、通常、撮像装置は、使用者によってシャッターボタンが押し下げられて、そのシャッターボタンの押下を契機にシャッターが切られ、必要な場合はストロボ発光が行われる。このとき、シャッターボタンの押下と、シャッター動作及びストロボ発光との間には、時間差が生じる。この時間は、フォーカスレンズの位置設定や、絞り設定などの露光条件、ストロボ発光のための充電時間などが要因で生じる。
【０００３】
一方、ＣＣＤ等の光電変換素子を備えたディジタルカメラやカメラ付き携帯電話等の撮像装置では、撮影時に機械的なシャッター音やストロボ発生音は生じない。そのため、臨場感を得るためや、至近距離での盗撮防止のため、シャッターボタンが押し下げられたときに電子的に音を発生させる場合がある。例えば、以下の特許文献１では、カメラ付き携帯電話においてシャッター音を発生させる技術が開示されている。
【０００４】
【特許文献１】特開２００５−２１７８８４号公報
【発明の開示】
【発明が解決しようとする課題】
【０００５】
ところで、シャッターボタン押下から、シャッター動作やストロボ発光までの時間については、撮像装置に組み込まれた演算装置の高性能化や、撮像装置の機械的な性能が向上することなどで、時間の短縮化をある程度まで図ることができた。しかしながら、使用者にとって、未だ、シャッターボタン押下からシャッター動作やストロボ発光までの時間に時間差が知覚されることから、使用者は、撮像装置の動作が緩慢であると感じ、撮像装置を操作する際、ストレスを感じるという問題があった。
【０００６】
そこで、本発明は、上記問題に鑑みてなされたものであり、本発明の目的とするところは、視聴覚特性に基づいて、撮影準備時間を短く知覚させることが可能な、新規かつ改良された撮像装置、撮像方法を提供することにある。
【課題を解決するための手段】
【０００７】
上記課題を解決するために、本発明のある観点によれば、撮影時にストロボ発光するストロボ発光部と、シャッターボタン押下からストロボ発光までに、ダミー音を発生するダミー音発生部と、シャッターボタン押下からストロボ発光までに要する撮影準備時間を予め取得する撮影準備時間取得部と、ダミー音発生からストロボ発光までの時間は、視聴覚特性に基づいて、ダミー音発生とストロボ発光とが同時であると感知される検知限以内であるとして、シャッターボタン押下時を０に設定したダミー音を発生させる時刻を取得するダミー音発生時刻取得部を備えることを特徴とする、撮像装置が提供される。
【０００８】
かかる構成により、シャッターボタン押下後、ストロボ発光までにダミー音が発生することから、ダミー音発生がストロボ発光に先行する。また、ダミー音発生からストロボ発光までの時間が検知限以内であるため、視聴覚特性に基づいて、例えば、使用者や被撮影者は、ダミー音発生とストロボ発光とが同時であると感知できる。従って、使用者や被撮影者は、検知限ほど、撮像装置が早く動作していると錯覚する。そのため、シャッターボタン押下からストロボ発生までの撮影準備時間に伴う遅延がある場合でも、撮影準備時間を短く感知させることができる。
【０００９】
上記検知限は、視聴覚特性に基づいて２５０ミリ秒と設定されることができる。かかる構成により、使用者や被撮影者は、最大２５０ミリ秒ほど、撮像装置が早く動作していると錯覚する。
【００１０】
上記撮影準備時間取得部は、撮影時のフォーカスレンズ位置合わせ条件、又は露光条件に基づいたシャッター遅延時間を取得するシャッター遅延時間取得部と、ストロボ発光部のチャージ状況に基づいたストロボ遅延時間を取得するストロボ遅延時間取得部と、シャッター遅延時間とストロボ遅延時間とを比較し、いずれか長いほうの値を撮影準備時間として判定する撮影準備時間判定部とを備えることができる。かかる構成により、シャッターボタン押下からストロボ発光までに要する撮影準備時間は、シャッター遅延時間又はストロボ遅延時間のいずれか長いほうに決定される。
【００１１】
上記ダミー音発生時刻取得部は、検知限と撮影準備時間とを比較し、検知限と撮影準備時間とに基づいて、ダミー音発生時刻を取得することができる。かかる構成により、ダミー音発生時刻は、ダミー音発生からストロボ発光までの時間は、検知限又は撮影準備時間のいずれかに決定され、ダミー音発生からストロボ発光までの時間をもとにダミー音発生時刻が取得される。
【００１２】
また、上記課題を解決するために、本発明の別の観点によれば、シャッターボタン押下からストロボ発光までに要する撮影準備時間を取得するステップと、ダミー音発生からストロボ発光までの時間は、視聴覚特性に基づいて、ダミー音発生とストロボ発光とが同時であると感知される検知限以内であるとして、シャッターボタン押下時を０に設定したダミー音を発生させる時刻を取得するステップと、シャッターボタン押下からストロボ発光までに、ダミー音を発生するステップと、撮影時にストロボ発光するステップと、を含むことを特徴とする、撮像方法が提供される。
【００１３】
かかる構成により、シャッターボタン押下後、ストロボ発光までにダミー音が発生することから、ダミー音発生がストロボ発光に先行する。また、ダミー音発生とストロボ発光までの間が検知限以内であるため、視聴覚特性に基づいて、例えば、使用者や被撮影者は、ダミー音発生とストロボ発光とが同時であると感知できる。従って、使用者や被撮影者は、検知限ほど、撮像装置が早く動作していると錯覚する。そのため、シャッターボタン押下からストロボ発生までの撮影準備時間に伴う遅延がある場合でも、撮影準備時間を短く感知させることができる。
【００１４】
上記撮影準備時間を取得するステップは、撮影時のフォーカス位置合わせ条件、又は露光条件に基づいたシャッター遅延時間を取得するステップと、ストロボ発光部のチャージ状況に基づいたストロボ遅延時間を取得するストロボ遅延時間を取得するステップと、シャッター遅延時間とストロボ遅延時間とを比較し、いずれか長いほうの値を撮影準備時間として判定するステップと、を含むことができる。かかる構成により、シャッターボタン押下からストロボ発光までに要する撮影準備時間は、シャッター遅延時間又はストロボ遅延時間のいずれか長いほうに決定される。
【００１５】
上記ダミー音を発生させる時刻を取得するステップは、検知限と撮影準備時間とを比較し、検知限と撮影準備時間とに基づいて、ダミー音発生時刻を取得することができる。かかる構成により、ダミー音発生時刻は、ダミー音発生からストロボ発光までの時間は、検知限又は撮影準備時間のいずれかに決定され、ダミー音発生からストロボ発光までの時間をもとにダミー音発生時刻が取得される。
【発明の効果】
【００１６】
本発明によれば、視聴覚特性に基づいて、撮影準備時間を短く知覚させることができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
まず、図１を参照して、本発明の第１の実施形態に係る撮像装置の構成について説明する。図１は、本実施形態に係る撮像装置の構成を示すブロック図である。
【００１９】
図１に示すように、撮像装置１００は、ＯＰＳ１０２（optical  system）と、光電変換素子１０４（ＯＥＣ：optoelectric  converter）と、サンプラ・ＡＤ変換機１０６と、タイミング回路１０８と、ＤＳＰ１１０（digital  signal  processor）と、ＤＲＡＭ１１２（dynamic  random  access  memory）と、ＥＥＰＲＯＭ１１４（electronically  erasable  and  programmable  read  only  memory）と、ＭＣＩ１１６（memory  card  interface）と、マイクロコントローラ１２０と、レンズ駆動部１２２と、ストロボ制御部１２４と、ストロボ発光部１２６と、ユーザ入力ユニット１２８と、ディスプレイ駆動部１３０と、ディスプレイユーザ出力１３２と、マイクロフォン１４０と、ＡＤ変換機１４２と、エンコーダ１４４と、デコーダ１５０と、ＤＡ変換機１５２と、スピーカー１５４とを備える。
【００２０】
ＯＰＳ１０２は、外部の光情報を光電変換素子１０４に投射する光学系システムである。ＯＰＳ１０２は、例えば、レンズを取り付ける筒状の鏡胴（図示せず。）と、光情報を光電変換素子１０４に結像させるレンズユニット（図示せず。）と、開口の大きさを変えて、光線束の方向や範囲を限定できる絞りなどを備える。レンズユニットは、例えば、単焦点レンズ、ズームレンズを含み、レンズの枚数は、１枚又は２枚以上である。
【００２１】
光電変換素子１０４は、ＯＰＳ１０２を経由して入射した光情報を電気信号に変換する光電変換が可能な素子から構成され、各素子が受光した光に応じた電気信号を生成する。光電変換素子１０４は、例えば、ＣＣＤ（charge  coupled  device）、ＣＭＯＳ（complementary  metal  oxide  semiconductor）等を適用することができる。光電変換素子１０４の露光時間を制御するため、非撮影時に光を遮って撮影時のみ光が当たるように、メカニカルシャッター（図示せず。）を適用することができる。また、これに限定されず、電子シャッター（図示せず。）を適用してもよい。
【００２２】
サンプラ・ＡＤ変換機１０６は、ＣＤＳ／ＡＭＰ（相関二重サンプリング回路（correlated  double  sampling）／増幅器（amplifier））（図示せず。）と、ＡＧＣ（automatic  gain  control）（図示せず。）と、ＡＤ変換機などを有する。サンプラ・ＡＤ変換機１０６は、光電変換素子１０４から出力された電気信号を相関二重サンプリングし、その後ＡＧＣで信号に応じて利得を調整する。また、光電変換素子１０４で生成されたアナログの電気信号をデジタル信号に変換する。
【００２３】
なお、サンプラ・ＡＤ変換機１０６は、一体型の回路とすることができるが、この例に限定されず、ＣＤＳ回路と、ＡＤ変換機とが別の回路で構成されるとしてもよい。また、増幅器を設けない構成とすることもできる。
【００２４】
タイミング回路１０８は、ＤＳＰ１１０によって制御され、光電変換素子１０４やサンプラ・ＡＤ変換機１０６にタイミング信号を入力する。タイミング回路１０８からのタイミング信号によって、上述したメカニカルシャッターや電子シャッターなどのシャッターのシャッター速度が決定される。そして、タイミング回路１０８からのタイミング信号によって、光電変換素子１０４の駆動が制御される。その結果、光電変換素子１０４には、光電変換素子１０４が駆動する時間内に光情報が入射し、画像データのもととなる電気信号が生成される。
【００２５】
ＤＳＰ１１０は、画像音声処理をするためデジタル信号の処理を行うマイクロプロセッサである。マイクロコントローラ１２０は、撮像装置１００の各構成部品に対して信号の送受信を行って、各構成部品を制御する。なお、本実施形態の撮像装置１００は、ＤＳＰ１１０と、マイクロコントローラ１２０と、別の２つのプロセッサを備えるとしたが、かかる例に限定されず、１つのプロセッサが、画像音声処理及び各構成部品の制御を行うとすることができる。
【００２６】
ＤＲＡＭ１１２は、撮影が完了した画像を一時的に記憶する。なお、ＤＲＡＭ１１２を使用せず、撮影した画像を記憶できる容量を有する他のＲＡＭなどの半導体記憶素子を使用することができる。
【００２７】
ＥＥＰＲＯＭ１１４は、ＤＳＰ１１０やマイクロコントローラ１２０を制御する動作手順命令（コンピュータプログラムコード）を格納する。なお、ＥＥＰＲＯＭ１１４を使用せず、動作手順命令を格納可能な他の記憶素子を使用することができる。
【００２８】
ＭＣＩ１１６は、画像、音声、動画などを記憶するための記憶媒体（図示せず。）と接続され、撮像装置１００とのインターフェースを行う。
【００２９】
レンズ駆動部１２２は、ＯＰＳ１０２に備えられたレンズユニットの制御を行う。レンズ駆動部１２２は、レンズユニットを駆動して、光電変換素子１０４に結像する被写体の大きさやピントの調節を行う。
【００３０】
ストロボ発光部１２６は、撮像装置１００によって撮影する被写体を明るく照らすため、夜間や暗所での撮影時に発光する。ストロボ発光部１２６の発光制御は、ストロボ制御部１２４がマイクロコントローラ１２０からの信号を受信して、ストロボ発光部１２６に発光命令を出力することで行われる。
【００３１】
ユーザ入力ユニット１２８は、撮像装置１００の操作を行ったり、撮影時の各種の設定を行ったりする。ユーザ入力ユニット１２８には、撮像装置１００の電源のオン・オフを行う電源ボタン（図示せず。）、撮影モードや撮影ドライブモードの選択を行う十字キーや選択ボタン（図示せず。）、画像や動画の撮影及び音声の収録を開始するシャッターボタン（図示せず。）などが配置される。ユーザ入力ユニット１２８の操作によって、信号がマイクロコントローラ１２０に出力され、この出力信号に応じて撮像装置１００の各構成部材の制御が行われる。シャッターボタンは、２段階に押下可能に構成され、１段階目では、撮像装置１００は、撮影時の撮影条件を取得して、後述するようにダミー音発生予定時刻を算出する。２段階目の押下は、実際にシャッター動作及びストロボ発光の契機となる。
【００３２】
ディスプレイユーザ出力１３２は、例えば、撮影を行う前のライブビュー表示、撮像装置１００の各種設定画面、撮影が完了した画像の表示などを行う。ディスプレイユーザ出力１３２への画像データの表示や、撮像装置１００の各種情報の表示は、ディスプレイ駆動部１３０を介して行われる。
【００３３】
マイクロフォン１４０は、撮像装置１００によって動画の撮影や音声の録音を行う際に音声を収録する。マイクロフォン１４０で収録された音声は、ＡＤ変換機１４２でアナログの電気信号からデジタル信号に変換され、エンコーダ１４４で符号化される。
【００３４】
スピーカー１５４は、撮像装置１００によって撮影された動画や録音した音声の再生を行う際に音声を出力する。また、スピーカー１５４は、ダミー音を出力する。音声は、符号化されたデータをデコーダ１５０で復号化し、ＤＡ変換機１５２でデジタル信号からアナログ信号に変換され、スピーカー１５４から出力される。ダミー音は、シャッター動作、ストロボ発光を合図する音である。なお、ダミー音は、上述の電気信号による音声ではなく、別途、撮像装置１００内に機械的な機構を設けて、この機構によって音が発生するとしてもよい。
【００３５】
次に、図２を参照して、本実施形態に係る撮影時間処理部１６０について説明する。図２は、本実施形態に係る撮影時間処理部を示すブロック図である。
【００３６】
撮影時間処理部１６０は、撮影準備時間取得部１７０と、ダミー音発生時刻取得部１８０とを備える。撮影時間処理部１６０は、例えば、ＤＳＰ１１０に設けられるが、この例に限定されず、例えばマイクロコントローラ１２０に設けられてもよい。撮影時間処理部１６０は、シャッターボタンの２段階目の押下からシャッター動作、ストロボ発光までの時間を算出し、更にダミー音を発生させる時刻を算出する。なお、シャッター動作、ストロボ発光は、同時に行われるとする。
【００３７】
次に、撮影時間処理部１６０の各構成要素について詳細に説明する。
【００３８】
撮影準備時間取得部１７０は、図２に示すように、シャッター遅延時間取得部１７２と、ストロボ遅延時間取得部１７４と、撮影準備時間判定部１７６とを備える。撮影準備時間取得部１７０は、シャッターボタンの２段階目の押下からストロボ発光までに要する撮影準備時間を、例えばシャッターボタンの１段階目の押下を契機に予め取得する。
【００３９】
即ち、撮像装置１００を用いて撮影を行うとき、被写体を適切な明るさや色、ピント等で撮影するために、様々な撮影条件を考慮する必要がある。この撮影条件を把握して、撮像装置１００のレンズユニットや絞りなどを調節するため、シャッターボタンの２段階目の押下から、実際にシャッターが動作し、ストロボが発光するまで、僅かであるが時間差が生じる。撮影準備時間取得部１７０は、この時間差を予め取得する。
【００４０】
シャッター遅延時間取得部１７２は、撮影時の露光条件、フォーカスレンズ位置合わせ条件によってシャッター動作までに要する時間であるシャッター遅延時間Ｄｓを取得する。露光条件は、レンズユニットを通して光電変換素子１０４に入射する光の総量によって異なり、この光の量に応じて、絞りやシャッタースピードが調節される。従って、予め絞りやシャッタースピードの調節に要する時間を記憶部（図示せず。）にテーブルとして記憶させておくことで、絞りやシャッタースピードの調節に関する遅延時間を取得することができる。
【００４１】
また、フォーカスレンズ位置合わせ条件は、レンズユニットの絞り値、被写体までの距離、レンズの焦点距離の組合せによって異なり、これらの値に応じて、フォーカスレンズの位置が調節される。従って、予めフォーカスレンズの位置調節に要する時間を記憶部にテーブルとして記憶させておくことで、フォーカスレンズの位置調節に関する遅延時間を取得することができる。
【００４２】
なお、絞りやシャッタースピードの調節や、フォーカスレンズの位置調節に要する時間をテーブルとして記憶させておくとしたが、かかる例に限定されない。例えば、撮影時の露光条件、フォーカスレンズ位置合わせ条件を取得して、シャッターボタンの１段階目の押下を契機に、絞りやシャッタースピードの調節、フォーカスレンズの位置調節に要する時間を計算してシャッター遅延時間Ｄｓを取得するとしてもよい。
【００４３】
ストロボ遅延時間取得部１７４は、撮影時のストロボのチャージ条件等によって生じるストロボ遅延時間Ｄｆを取得する。チャージ条件は、ストロボの発光量や蓄電量によって異なり、チャージに要する時間も変化する。様々な条件下のチャージに要する時間を記憶部にテーブルとして記憶させておくことで、チャージ状況に関するストロボ遅延時間Ｄｆを取得することができる。なお、撮影条件に応じたストロボ発光量や蓄電量を取得して、シャッターボタンの１段階目の押下を契機に、チャージに要する時間を計算してストロボ遅延時間Ｄｆを取得するとしてもよい。
【００４４】
撮影準備時間判定部１７６は、シャッター遅延時間Ｄｓとストロボ遅延時間Ｄｆとを比較し、いずれか長いほうの値を撮影準備時間Ｄとして判定する。具体的には、撮影準備時間判定部１７６は、シャッター遅延時間取得部１７２で取得されたシャッター遅延時間Ｄｓと、ストロボ遅延時間取得部１７４で取得されたストロボ遅延時間Ｄｆを受けて、シャッター遅延時間Ｄｓとストロボ遅延時間Ｄｆとを比較する。シャッター遅延時間Ｄｓがストロボ遅延時間Ｄｆ以上であれば、シャッター遅延時間Ｄｓを撮影準備時間Ｄとし、シャッター遅延時間Ｄｓがストロボ遅延時間Ｄｆ未満であれば、ストロボ遅延時間Ｄｆを撮影準備時間Ｄと判定する。
【００４５】
以上より、撮影準備時間取得部１７０は、シャッターボタンの２段階目の押下からストロボ発光までに要する撮影準備時間Ｄを予め取得することができる。
【００４６】
ダミー音発生時刻取得部１８０は、図２に示すように、ダミー音発生時間算出部１８２を備える。ダミー音発生時刻取得部１８０は、ダミー音の発生時刻Ｓ２を取得する。ダミー音は、シャッターボタンの２段階目の押下からシャッター動作及びストロボ発光までの間に発生され、ダミー音発生時刻Ｓ２は、２段階目のシャッターボタン押下Ｓ１時からＹ秒経過後の時刻である。ダミー音発生時刻取得部１８０は、ダミー音発生からストロボ発光までの時間が、検知限Ｔ以内となるように、ダミー音発生時刻Ｓ２を取得する。
【００４７】
検知限Ｔは、視聴覚特性に基づいてダミー音発生とストロボ発光とがほぼ同時であると感知される時間である。一般に、音と光が時間的に近接して発生し、音の発生が先行している条件下では、音の発生と光の発生の間隔が２５０ミリ秒以内のとき、光の発光が音の発生時刻に近づいて、音と光の発生がほぼ同時であると感知されることが観察されている（例えば、上村俊介、他「視聴覚相互作用の時間特性」、基礎心理学研究、日本基礎心理学会、２００６年９月、第２５巻、第１号、ｐ．１３４）。一方、音の発生と光の発生の間隔が２５０ミリ秒を超えると、音と光の発生が別々に生じていると感知される。本実施形態では、検知限Ｔを、例えば２５０ミリ秒とする。
【００４８】
ダミー音発生時間算出部１８２は、撮影準備時間Ｄと検知限Ｔとを比較する。撮影準備時間Ｄは、撮影準備時間取得部１７０の撮影準備時間判定部１７６で取得された時間であり、検知限Ｔは、例えば記憶部に記憶されている。
【００４９】
撮影準備時間Ｄが検知限Ｔ以上である場合は、ダミー音発生からストロボ発光までの時間は、検知限Ｔとする。従って、ダミー音が、シャッターボタン押下Ｓ１からＹ秒経過後に発生するとした場合、経過時間Ｙは、Ｙ＝撮影準備時間Ｄ−検知限Ｔとして算出される。
【００５０】
一方、撮影準備時間Ｄが検知限Ｔ未満である場合、検知限Ｔよりも短い時間でストロボ発光をすることができるので、シャッターボタン押下Ｓ１と同時にダミー音を発生させることができる。シャッターボタン押下Ｓ１からストロボ発光までの経過時間Ｙは、Ｙ＝０である。
【００５１】
次に、本実施形態に係る撮像装置の作用について説明する。図３は、本実施形態に係る撮像装置を用いた撮像方法を示すフローチャートである。
【００５２】
まず、使用者は、撮影時、２段階押下できるシャッターボタンのうち１段階押し下げる。すると、撮像装置１００は、撮影条件等を取得して、ダミー音発生時刻を算出する。その後、使用者がシャッターボタンの２段階目を押し下げると、撮像装置１００は、実際にシャッター動作及びストロボ発光を行って、撮影が完了する。以下、シャッターボタン１段階目の押下によって、撮影条件等を取得して、ダミー音発生時刻を算出する過程を詳細に説明する。
【００５３】
まず、シャッター遅延時間取得部１７２は、レンズユニットを通して入射される光情報から、撮影時の露光条件、フォーカスレンズ位置合わせ条件等を取得し、絞りやシャッタースピードの調節、フォーカスレンズの位置調節に関するシャッター遅延時間Ｄｓを取得する（ステップＳ１０２）。また、ストロボ遅延時間取得部１７４は、ストロボの発光量や蓄電量等のシャッター条件を取得し、ストロボ遅延時間Ｄｆを取得する（ステップＳ１０４）。図３に示すフローチャートは、シャッター遅延時間Ｄｓを取得し（ステップＳ１０２）、ストロボ遅延時間Ｄｆを取得する（ステップＳ１０４）としたが、本実施形態はこの順番に限定されない。ストロボ遅延時間Ｄｆは、先に取得されるとしてもよいし、同時に取得されるとしてもよい。
【００５４】
また、撮影準備時間判定部１７６は、シャッター遅延時間Ｄｓとストロボ遅延時間Ｄｆとを比較し、いずれが長い時間であるかを判定する（ステップＳ１０６）。シャッター遅延時間Ｄｓがストロボ遅延時間Ｄｆ以上であれば、シャッター遅延時間Ｄｓを撮影準備時間Ｄと判定する（ステップＳ１０８）。一方、シャッター遅延時間Ｄｓがストロボ遅延時間Ｄｆ未満であれば、ストロボ遅延時間Ｄｆを撮影準備時間Ｄと判定する（ステップＳ１１０）。
【００５５】
次に、ダミー音発生時間算出部１８２は、撮影準備時間Ｄと検知限Ｔとを比較し、いずれが長い時間であるかを判定する（ステップＳ１１２）。撮影準備時間Ｄが検知限Ｔ以上である場合、シャッターボタン押下Ｓ１からストロボ音発生までの経過時間Ｙは、Ｙ＝撮影準備時間Ｄ−検知限Ｔとして算出される（ステップＳ１１４）。一方、撮影準備時間Ｄが検知限Ｔ未満である場合、シャッターボタン押下Ｓ１からストロボ発光までの経過時間Ｙは、Ｙ＝０として算出される（ステップＳ１１６）。
【００５６】
そして、ダミー音発生時刻取得部１８０は、ダミー音発生時間算出部１８２によって算出された経過時間Ｙをもとに、２段階目のシャッターボタン押下Ｓ１時からのダミー音発生時刻Ｓ２を取得する（ステップＳ１１８）。以上より、撮像装置１００は、撮影条件に基づいて、ダミー音発生時刻Ｓ２を取得することができる。その後、使用者によって、シャッターボタンの２段階目が押下されたとき、撮像装置１００は、その押下時を０として、ダミー音発生時刻Ｓ２にダミー音を発生させる（ステップＳ１２０）。
【００５７】
次に、シャッターボタン押下とダミー音発生時刻のタイミングについて、図４〜図６に示す実施例を参照して説明する。図４〜図６は、本実施形態に係る撮像装置の作用を示すシーケンス図である。
【００５８】
シャッターボタン押下とダミー音発生時刻のタイミングは、ストロボ遅延時間Ｄｆ、シャッター遅延時間Ｄｓ、検知限Ｔの関係によって異なる。
【００５９】
まず、図４に示すように、ストロボ遅延時間Ｄｆ＞検知限Ｔ＞シャッター遅延時間Ｄｓである場合について説明する。このとき、ストロボ遅延時間Ｄｆ＞シャッター遅延時間Ｄｓより、撮影準備時間判定部１７６は、ストロボ遅延時間Ｄｆが、撮影準備時間Ｄであると判定する（ステップＳ１０８）。また、撮影準備時間Ｄ（ストロボ遅延時間Ｄｆ）＞検知限Ｔより、ダミー音発生時間算出部１８２は、シャッターボタン押下Ｓ１からストロボ音発生までの経過時間Ｙは、Ｙ＝撮影準備時間Ｄ−検知限Ｔとして算出する（ステップＳ１１４）。従って、ストロボ遅延時間Ｄｆ＞検知限Ｔ＞シャッター遅延時間Ｄｓである場合、シャッターボタン押下Ｓ１からＹ秒後にダミー音が発生する（ステップＳ１２０）。
【００６０】
図５に示すように、検知限Ｔ＞ストロボ遅延時間Ｄｆ＞シャッター遅延時間Ｄｓである場合、ストロボ遅延時間Ｄｆ＞シャッター遅延時間Ｄｓより、撮影準備時間判定部１７６は、ストロボ遅延時間Ｄｆが、撮影準備時間Ｄであると判定する（ステップＳ１０８）。また、検知限Ｔ＞撮影準備時間Ｄ（ストロボ遅延時間Ｄｆ）より、ダミー音発生時間算出部１８２は、シャッターボタン押下Ｓ１からストロボ音発生までの経過時間Ｙは、Ｙ＝０として算出する（ステップＳ１１６）。従って、検知限Ｔ＞ストロボ遅延時間Ｄｆ＞シャッター遅延時間Ｄｓである場合、シャッターボタン押下Ｓ１と同時にダミー音が発生する（ステップＳ１２０）。
【００６１】
図６に示すように、ストロボ遅延時間Ｄｆ＞シャッター遅延時間Ｄｓ＞検知限Ｔである場合、ストロボ遅延時間Ｄｆ＞シャッター遅延時間Ｄｓより、撮影準備時間判定部１７６は、ストロボ遅延時間Ｄｆが、撮影準備時間Ｄであると判定する（ステップＳ１０８）。図４と異なり、シャッター遅延時間Ｄｓは、検知限Ｔより長いが、撮影準備時間Ｄ（ストロボ遅延時間Ｄｆ）＞検知限Ｔより、ダミー音発生時間算出部１８２は、シャッターボタン押下Ｓ１からストロボ音発生までの経過時間Ｙは、Ｙ＝撮影準備時間Ｄ−検知限Ｔとして算出する（ステップＳ１１４）。従って、ストロボ遅延時間Ｄｆ＞検知限Ｔ＞シャッター遅延時間Ｄｓである場合、シャッターボタン押下Ｓ１からＹ秒後にダミー音が発生する（ステップＳ１２０）。
【００６２】
以上説明したように、本実施形態によれば、シャッターボタン押下からシャッター動作及びストロボ発光までの間にダミー音が発生し、ダミー音は、シャッター動作及びストロボ発光よりも最大２５０ミリ秒先行して発生する。
【００６３】
シャッターボタン押下からシャッター動作及びストロボ発光までの間には、時間差があるが、ダミー音が、シャッター動作及びストロボ発光よりも先行して発生する。また、その時間差は、視聴覚特性に基づいてダミー音発生とストロボ発光とがほぼ同時であると感知される時間である２５０ミリ秒という検知限以内である。従って、本実施形態に係る撮像装置１００の使用者や、被写体である被撮影者は、視聴覚特性によって、ストロボ発光がダミー音発生時刻に近づいて、ダミー音の発生と同時にストロボ発光がされたと感知する。
【００６４】
その結果、撮像装置１００の使用者や、被撮影者は、最大２５０ミリ秒ほど、撮像装置１００が早く動作していると錯覚する。そのため、シャッターボタン押下からストロボ発生までの撮影準備時間に伴う遅延がある場合でも、撮影準備時間を短く感知させることが可能となり、撮影時の遅延による体感的な遅延を軽減することができる。そして、この遅延低減効果により、遅延によって生じるストレスを低減することができる。
【００６５】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６６】
例えば、上記実施形態では、光電変換素子を備えた撮像装置について説明したが、本発明はかかる例に限定されない。例えば、レンズユニットを通して光情報をフィルムに結像する撮像装置に適用してもよい。
【図面の簡単な説明】
【００６７】
【図１】本発明の第１の実施形態に係る撮像装置の構成を示すブロック図である。
【図２】同実施形態に係る撮影時間処理部を示すブロック図である。
【図３】同実施形態に係る撮像装置を用いた撮像方法を示すフローチャートである。
【図４】同実施形態に係る撮像装置の作用を示すシーケンス図である。
【図５】同実施形態に係る撮像装置の作用を示すシーケンス図である。
【図６】同実施形態に係る撮像装置の作用を示すシーケンス図である。
【符号の説明】
【００６８】
１００      撮像装置
１０２      ＯＰＳ
１０４      光電変換素子
１０６      サンプラ・ＡＤ変換機
１０８      タイミング回路
１１０      ＤＳＰ
１１２      ＤＲＡＭ
１１４      ＥＥＰＲＯＭ
１１６      ＭＣＩ
１２０      マイクロコントローラ
１２２      レンズ駆動部
１２４      ストロボ制御部
１２６      ストロボ発光部
１２８      ユーザ入力ユニット
１３０      ディスプレイ駆動部
１３２      ディスプレイユーザ出力
１４０      マイクロフォン
１４２      ＡＤ変換機
１４４      エンコーダ
１５０      デコーダ
１５２      ＤＡ変換機
１５４      スピーカー
１６０      撮影時間処理部
１７０      撮影準備時間取得部
１７２      シャッター遅延時間取得部
１７４      ストロボ遅延時間取得部
１７６      撮影準備時間判定部
１８０      ダミー音発生時刻取得部
１８２      ダミー音発生時間算出部
【図１】
2008166954.tif 000003
【図２】
2008166954.tif 000004
【図３】
2008166954.tif 000005
【図４】
2008166954.tif 000006
【図５】
2008166954.tif 000007
【図６】
2008166954.tif 000008